(57)【特許請求の範囲】
【請求項１】
透光性樹脂フィルムと透光性樹脂キートップとを備え、透光性樹脂フィルムが透光性樹脂キートップの裏面を除く残余の面に固着してなるフィルム一体キーシートにおいて、
前記透光性樹脂キートップの外周側面下端に、外方へ突出する凸部が設けられ、
該凸部の裏面に、前記透光性樹脂キートップの樹脂注入ゲート部、及びエアーベント部が設けられていることを特徴とするフィルム一体キーシート。
【請求項２】
前記凸部を、前記透光性樹脂キートップを挟んで対向する位置にそれぞれ設けたことを特徴とする請求項１に記載のフィルム一体キーシート。
【請求項３】
前記凸部が、前記透光性樹脂キートップの外周側面の全周にわたって形成されたフランジ部であることを特徴とする請求項１に記載のフィルム一体キーシート。
【請求項４】
前記透光性樹脂キートップの裏面、前記フランジ部の裏面、及び前記フランジ部の外方へ突出する前記透光性フィルムの裏面が同一平面上に位置することを特徴とする請求項３に記載のフィルム一体キーシート。
【請求項５】
前記エアーベント部が、前記透光性樹脂キートップを挟んで前記樹脂注入ゲート部と対向する位置に設けられていることを特徴とする請求項１から請求項４のいずれか１項に記載のフィルム一体キーシート。
【請求項６】
前記透光性樹脂フィルムの表面および／または裏面に、文字表示部が形成されていることを特徴とする請求項１から請求項５のいずれか１項に記載のフィルム一体キーシート。
【請求項７】
前記透光性樹脂キートップの裏面に、装飾層が形成されていることを特徴とする請求項１から請求項６のいずれか１項に記載のフィルム一体キーシート。
【請求項８】
前記装飾層が、金属光沢を有することを特徴とする請求項７に記載のフィルム一体キーシート。
【発明の詳細な説明】
【０００１】
【発明の属する技術分野】
本発明は、携帯電話や自動車電話等の情報通信機器、音響機器等の各種電子機器において押釦スイッチに用いられるフィルム一体キーシートに関するものである。
【０００２】
【従来の技術】
従来、携帯電話や自動車電話等の移動通信端末をはじめとする各種電子機器においては、軽量化、小型化及び薄型化が要望されている。そのため、これらに用いられる押釦スイッチにおいても同様に、軽量化、小型化及び薄型化が要望されている。このような要望に応えるものとして、透光性樹脂フィルムが透光性樹脂キートップの裏面を除く残余の面に固着してなるフィルム一体キーシートが知られ、近年では、この種のフィルム一体キーシートが広く採用されるに至っている。
【０００３】
図９に、従来のフィルム一体キーシートの断面図を示す。このフィルム一体キーシート３１は、透光性樹脂フィルム３２が透光性樹脂キートップ３３の裏面３３ａを除く残余の面に固着した構成となっている。そのため、このフィルム一体キーシート３１においては、透光性樹脂フィルム３２の上面側に押圧部３４が凸状に形成された構成となっている。そして、このフィルム一体キーシート３１は、押圧部３４となる透光性樹脂フィルム３２の裏面３２ａに文字表示部３５が設けられるとともに、透光性樹脂キートップ３３の裏面３３ａに樹脂注入ゲート部３６ａを有する構成となっている。そして、このフィルム一体キーシート３１は、一般に、透光性樹脂フィルム３２を透光性樹脂キートップ３３の上面側形状と略同形状に湾曲形成した後、その湾曲部内にモールド樹脂を注入することにより製造されている。
【０００４】
【発明が解決しようとする課題】
近年、この種のフィルム一体キーシートにおいてはデザイン競争が激化し、例えば携帯電話等に用いられる押釦スイッチのフィルム一体キーシートにおいては、多種多様なデザインが要求されている。かかる背景のもと、この種のフィルム一体キーシートにおいては、視認性に優れた高品位なデザインが要求されている。
【０００５】
ところが、上記従来のフィルム一体キーシート３１においては、透光性樹脂キートップ３３の裏面３３ａに樹脂注入ゲート部３６ａが設けられているため、シートの押圧部３４の表面側からこの透光性樹脂キートップ３３を見た場合、この樹脂注入ゲート部３６ａが視認されてしまう。そのため、上記従来のフィルム一体キーシート３１は見栄えが悪いものであった。特に、透光性樹脂フィルム３２の裏面３２ａに文字表示部３５を形成した場合に、シートの押圧部３４の表面側から文字表示部３５を見ると、この樹脂注入ゲート部３６ａによって文字表示部３５の表示が歪んで視認されることとなる。すなわち、この樹脂注入ゲート部３６ａの存在は、文字表示部３５の視認性を悪化させ、美観を損なわせる要因となっていた。
【０００６】
この問題を解決するために、樹脂注入ゲート部３６ａの設置箇所を、図９において仮想線で示すように、透光性樹脂キートップ３３の周縁部に移す方法が検討されている。しかしながら、このように構成しても、シートの押圧部３４の表面側から透光性樹脂キートップ３３を見た場合に樹脂注入ゲート部３６ａが視認されてしまい、かかる問題を解決することはできなかった。
【０００７】
一方、図１０に示すように、樹脂キートップ４３を樹脂フィルム板４２の下面よりも所定寸法下方向に突出させ、この樹脂フィルム板４２の下面に突出した樹脂キートップ４３の外周所定位置から半径方向外側に、樹脂注入ゲート部４６ａを設けたフィルム一体キーシート４１が、特開平８−７６９８号公報に開示されている。
【０００８】
しかしながら、このように樹脂キートップ４３を樹脂フィルム板４２の下面よりも所定寸法下方向に突出させると、その厚さＬだけ樹脂キートップ４３が厚くなり、フィルム一体キーシート４１の薄型化が図れなくなる。また、かかる形状の樹脂キートップ４３は、その製造時において溶融した熱可塑性樹脂を金型のキャビティ内に均一に充填することが難しく、所謂ショートショットやエアーポケット等が発生し易いという製造上の問題があった。そのため、特開平８−７６９８号公報に開示されているフィルム一体キーシート４１は、外観品質に劣る低品位なものとなるばかりか生産性が低いものであり、実用に与するものではなかった。
【０００９】
本発明は、上記課題を解決するためになされたものであり、その目的は、小型軽量且つ薄型で、視認性に優れた高品位なデザインを具備した製造容易なフィルム一体キーシートを提供することにある。
【００１０】
【課題を解決するための手段】
上記問題点を解決するために、請求項１に記載の発明は、透光性樹脂フィルムと透光性樹脂キートップとを備え、透光性樹脂フィルムが透光性樹脂キートップの裏面を除く残余の面に固着してなるフィルム一体キーシートにおいて、前記透光性樹脂キートップの外周側面下端に、外方へ突出する凸部が設けられ、該凸部の裏面に、前記透光性樹脂キートップの樹脂注入ゲート部、及びエアーベント部が設けられていることを特徴とする。
【００１１】
請求項２に記載の発明は、請求項１に記載のフィルム一体キーシートにおいて、前記凸部を、前記透光性樹脂キートップを挟んで対向する位置にそれぞれ設けたことを特徴とする。
【００１２】
請求項３に記載の発明は、請求項１に記載のフィルム一体キーシートにおいて、前記凸部が、前記透光性樹脂キートップの外周側面の全周にわたって形成されたフランジ部であることを特徴とする。
【００１３】
請求項４に記載の発明は、請求項３に記載のフィルム一体キーシートにおいて、前記透光性樹脂キートップの裏面、前記フランジ部の裏面、及び前記フランジ部の外方へ突出する前記透光性フィルムの裏面が同一平面上に位置することを特徴とする。
【００１４】
請求項５に記載の発明は、請求項１から請求項４のいずれか１項に記載のフィルム一体キーシートにおいて、前記エアーベント部が、前記透光性樹脂キートップを挟んで前記樹脂注入ゲート部と対向する位置に設けられていることを特徴とする。
【００１５】
請求項６に記載の発明は、請求項１から請求項５のいずれか１項に記載のフィルム一体キーシートにおいて、前記透光性樹脂フィルムの表面および／または裏面に、文字表示部が形成されていることを特徴とする。
【００１６】
請求項７に記載の発明は、請求項１から請求項６のいずれか１項に記載のフィルム一体キーシートにおいて、前記透光性樹脂キートップの裏面に、装飾層が形成されていることを特徴とする。
【００１７】
請求項８に記載の発明は、請求項７に記載のフィルム一体キーシートにおいて、前記装飾層が、金属光沢を有することを特徴とする。
【００１８】
【発明の実施の形態】
（第一実施形態）
以下、本発明を具体化した第一の実施の形態を、図１〜図５に基づいて説明する。
【００１９】
図１及び図２に示すように、本実施形態のフィルム一体キーシート１１は、透光性樹脂フィルム１２と複数の透光性樹脂キートップ１３とを備えている。透光性樹脂フィルム１２は、その一部が透光性樹脂キートップ１３の上面側形状と略同形状に湾曲し、透光性樹脂キートップ１３の裏面１３ａを除く残余の面に固着している。そのため、このフィルム一体キーシート１１においては、透光性樹脂フィルム１２の上面側に、複数の押圧部１４が凸状に形成された構成となっている。
【００２０】
透光性樹脂フィルム１２を構成する樹脂フィルムは、透光性を有するものであればその組成や種類、色調について特に限定されるものではなく、公知の樹脂フィルムから要求性能に応じて適宜選択して用いることができる。なかでも、成形加工性の良好な熱可塑性樹脂フィルムを用いることが好ましく、特に、透光性の良好なポリカーボネート樹脂フィルムやポリエチレンテレフタレート樹脂フィルム、ポリエチレンナフタレート樹脂フィルム等を用いることが好ましい。
【００２１】
押圧部１４となる透光性樹脂フィルム１２の裏面１２ａには、文字表示部１５が形成されている。この文字表示部１５は、押圧部１４の上方から透光性樹脂フィルム１２を介して視認されるものであり、文字・数字・記号・模様或いは絵柄等の図柄を描画したものである。この文字表示部１５は、透光性樹脂フィルム１２の裏面１２ａに、例えばインクや塗料などを塗布又は印刷、転写等することにより形成される。なお、この文字表示部１５は、乗せ文字状に描画されたものであっても、抜き文字状に描画されたものであっても構わない。また、文字表示部１５は、透光性樹脂フィルム１２の表面および／または裏面に形成する構成としても構わない。
【００２２】
透光性樹脂キートップ１３を構成する合成樹脂は、透光性を有するものであればその組成や種類、色調について特に限定されるものではなく、例えば、熱可塑性樹脂、熱可塑性エラストマー、硬化性樹脂或いは架橋ゴムなどの公知の合成樹脂から要求性能に応じて適宜選択して用いることができる。なかでも、成形加工性の良好な熱可塑性樹脂を用いることが好ましく、特に、透光性、機械的強度及び耐熱性等の良好なポリカーボネート樹脂やアクリル樹脂、ポリプロピレン樹脂等を用いることがより好ましい。
【００２３】
図１〜図３に示すように、この透光性樹脂キートップ１３は略円筒状に形成され、その外周側面下端に、半径方向外方へ突出する凸部としてのフランジ部１６が設けられた構成となっている。このフランジ部１６は、透光性樹脂キートップ１３の外周側面の全周にわたって形成されている。そして、透光性樹脂キートップ１３の裏面１３ａ及びフランジ部１６の裏面１６ａは、段差のない平滑な面に形成されている。
【００２４】
透光性樹脂キートップ１３の裏面１３ａには、装飾層１７が設けられている。この装飾層１７は、押圧部１４の上方から透光性樹脂フィルム１２及び透光性樹脂キートップ１３を介して視認されるものであり、赤色・青色・黄色・緑色等の有彩色、或いは白色・黒色・灰色等の無彩色、若しくは金属色を呈する層である。この装飾層１７は、透光性樹脂キートップ１３の裏面１３ａにインクや塗料などを塗布或いは印刷、転写等したり、又は、無機物を蒸着或いは転写等したりすることにより形成される。なお、装飾層１７は、文字・数字・記号・模様或いは絵柄等の図柄を表示するものであっても構わない。
【００２５】
また、装飾層１７は、金属光沢を有するものであることが好ましい。かかる金属光沢を有する装飾層１７は、例えば、金属粉末配合塗料（メタルインク）を塗布或いは印刷などすることにより、又は、アルミニウムやクロム、銅、ニッケル等の金属を蒸着或いは転写等することにより形成される。このように金属光沢を有する装飾層１７とすることにより、金属光沢調を呈するデザインを実現でき、高光沢で美観に優れデザイン性の高いフィルム一体キーシート１１を実現することができる。
【００２６】
さらに、装飾層１７は透光性を有するものであることが好ましい。かかる透光性を有する装飾層１７は、透光性を有するインクや塗料などを塗布或いは印刷等したり、又は、アルミニウムやクロム、銅、ニッケル等の金属を２〜３００ｎｍの厚さで蒸着等することにより形成される。このように透光性を有する装飾層１７とすることにより、透光性樹脂キートップ１３の裏面１３ａ側に、ＬＥＤ（発光ダイオード）やＥＬ（エレクトロルミネセンス）などの照光器を付設することにより、簡易に照光機能を付与することができ、夜間や暗い場所でのフィルム一体キーシート１１の視認性を向上させることができる。なお、アルミニウムやクロム、銅、ニッケル等の金属を５〜５０ｎｍの厚さで蒸着等することにより、金属光沢と透光性とを併せ持つ装飾層１７を実現することができる。
【００２７】
前記フランジ部１６は、透光性樹脂キートップ１３の外周側面の全周にわたって形成されいても、その一部のみを切り欠いた構成に形成されていても構わない。けれども、本実施形態の如く透光性樹脂キートップ１３の外周側面の全周にわたって形成すると、透光性樹脂フィルム１２を湾曲変形させる際に、その応力が透光性樹脂フィルム１２に均一に加わるようになる。従って、透光性樹脂フィルム１２の伸張が均一となり、生産性が向上すると共に歩留まりを向上させることができ、高品位なフィルム一体キーシート１１を簡易に実現することができる。なお、フランジ部１６の厚さは、透光性樹脂キートップ１３の大きさや形状にもよるが、透光性樹脂キートップ１３の成形性等の観点から、少なくとも０．２ｍｍ以上であることが好ましい。
【００２８】
このフランジ部１６の裏面１６ａには、透光性樹脂キートップ１３の樹脂注入ゲート部Ｇ及びエアーベント部Ｆがそれぞれ設けられている。このように樹脂注入ゲート部Ｇ及びエアーベント部Ｆをフランジ部１６の裏面１６ａに形成することにより、透光性樹脂キートップ１３の裏面１３ａを、段差のない平滑な面とすることができる。そして、樹脂注入ゲート部Ｇとエアーベント部Ｆとは、透光性樹脂キートップ１３を挟んで１８０度対向する位置にそれぞれ設けられている。
【００２９】
以下、本実施形態のフィルム一体キーシート１１の製造方法を図４及び図５に基づいて説明する。ここでは、透光性樹脂キートップ１３の成形用の上下一対の成形金型（上金型２１，下金型２２）を用いた製造方法を説明する。
【００３０】
この上金型２１には、透光性樹脂キートップ１３を成形するための略円筒状の成形凹部２１ａと、透光性樹脂キートップ１３のフランジ部１６を成形するための略円筒状の成形凹部２１ｂとが同軸線上に形成され、図示の如く、略段付円筒状のキャビティＳが設けられている。一方、下金型２２には、溶融樹脂を注入するための樹脂注入ゲート２２ａとエアーベント２２ｂとが形成されている。この樹脂注入ゲート２２ａ及びエアーベント２２ｂは、上金型２１の成形凹部２１ｂに対応する位置にそれぞれ設けられ、図示の如く、上金型２１のキャビティＳを挟んで１８０度対向する位置にそれぞれ設けられている。
【００３１】
なお、樹脂注入ゲート２２ａは、ピンポイントゲート、ファンゲート、フィルムゲート、リングゲート、ディスクゲート、サブマリンゲート、オーバーラップゲート、ダイレクトゲート、タブゲート、エッジゲートなどが挙げられ、特に限定されるものではないが、透光性樹脂キートップ１３に残るゲート痕（樹脂注入ゲート部Ｇ）が小さい等の理由から、ピンポイントゲートであることが好ましい。また、エアーベント２２ｂのクリアランスは、通常、０．０１〜０．０３ｍｍ程度とすることが好ましい。
【００３２】
そして、このフィルム一体キーシート１１を製造するには、まず、透光性樹脂フィルム１２の裏面１２ａに文字表示部１５を形成した後、この透光性樹脂フィルム１２を、上金型２１と下金型２２との間に挟持して型締めする。ここで、上金型２１と下金型２２との間に挟持する透光性樹脂フィルム１２の一部を、冶具などを用いて、成形する透光性樹脂キートップ１３の上面側形状（上金型２１のキャビティＳ形状）と略同形状に予め湾曲変形させておくことが好ましい。
【００３３】
次いで、下金型２２の樹脂注入ゲート２２ａから、溶融した合成樹脂をキャビティＳ内に射出する。この溶融した合成樹脂のキャビティＳ内への注入に伴い、透光性樹脂フィルム１２は上金型２１のキャビティＳ形状と略同形状に湾曲して伸張される。ここで、透光性樹脂キートップ１３の成形時にキャビティＳ内にて発生するガスは、エアーベント２２ｂを通ってキャビティＳ外へ抜け出るため、溶融した合成樹脂はキャビティＳ内に均一に充填される。その結果、透光性樹脂キートップ１３及びフランジ部１６が一体成形されるとともに、透光性樹脂フィルム１２と透光性樹脂キートップ１３とが熱融着により固着して、フィルム一体キーシートが作製される。
【００３４】
そして冷却後、上金型２１及び下金型２２を離型させてフィルム一体キーシートを取り出し、このフィルム一体キーシートの透光性樹脂キートップ１３の裏面１３ａに装飾層１７を形成することにより、本実施形態のフィルム一体キーシート１１が製造される。
【００３５】
以上詳述したように、本実施形態によれば以下に示す作用効果が奏される。
（１）  透光性樹脂キートップ１３の外周側面下端に、外方へ突出する凸部としてのフランジ部１６を設け、このフランジ部１６の裏面１６ａに、透光性樹脂キートップ１３の樹脂注入ゲート部Ｇを設けた。
【００３６】
このように構成すると、フィルム一体キーシート１１の押圧部１４の表面側から透光性樹脂キートップ１３或いは文字表示部１５を見た場合に、この樹脂注入ゲート部Ｇが視認されない。従って、外観が良好で美観に優れるフィルム一体キーシート１１を実現することができる。
【００３７】
また、透光性樹脂キートップ１３を厚くする構成を回避することができるため、上記特開平８−７６９８号公報にて開示されたフィルム一体キーシートとは異なり、フィルム一体キーシート１１の薄型化を図ることができる。
【００３８】
そして、フランジ部１６の裏面１６ａに樹脂注入ゲート部Ｇを設けたため、上記従来のフィルム一体キーシートとは異なり、透光性樹脂キートップ１３の裏面１３ａを段差のない平滑な面とすることができる。従って、透光性樹脂キートップ１３の裏面１３ａに高品質な文字や装飾等を簡易に施すことができるようになり、種々のデザインを具現化することができるようになる。そのため、デザインバリエーションを拡大することができるようになり、生産性が高く美観に優れるデザイン性の高いフィルム一体キーシート１１を実現することができる。
【００３９】
（２）  透光性樹脂キートップ１３の外周側面下端において外方へ突出する凸部として、透光性樹脂キートップ１３の外周側面の全周にわたって形成されたフランジ部１６を設けた。
【００４０】
このように構成すると、フィルム一体キーシート１１の製造時において透光性樹脂フィルム１２を湾曲させて伸張させる際に、その応力が透光性樹脂フィルム１２に均一に加わるようになる。従って、透光性樹脂フィルム１２の伸張が均一となり、生産性が向上すると共に歩留まりを向上させることができ、高品位なフィルム一体キーシート１１を簡易に製造することができる。
【００４１】
（３）  フランジ部１６の裏面１６ａに、エアーベント部Ｆを設けた。すなわち、成形凹部２１ａ及び成形凹部２１ｂからなるキャビティＳを有する上金型２１と、この上金型２１の成形凹部２１ｂに対応する位置にエアーベント２２ｂが設けられた下金型２２とを用いて、このフィルム一体キーシート１１を製造した。
【００４２】
このようにフランジ部１６の裏面１６ａにエアーベント部Ｆを設けると、透光性樹脂キートップ１３を射出成形する際にキャビティＳ内に発生するガスを、エアーベント２２ｂから外部へ排出させることができる。そのため、キャビティＳ内に溶融した合成樹脂を均一に充填することができるようになり、外観品質に優れた高品位なフィルム一体キーシート１１を簡易に実現することができる。
【００４３】
しかも、このようにフランジ部１６の裏面１６ａにエアーベント部Ｆを設けると、フィルム一体キーシート１１の押圧部１４の表面側から透光性樹脂キートップ１３或いは文字表示部１５を見た場合に、このエアーベント部Ｆが視認されない。従って、美観に優れるフィルム一体キーシート１１を実現することができる。
【００４４】
（４）  エアーベント部Ｆを、透光性樹脂キートップ１３を挟んで前記樹脂注入ゲート部Ｇと対向する位置に設けた。すなわち、成形凹部２１ａ及び成形凹部２１ｂからなるキャビティＳを有する上金型２１と、この上金型２１の成形凹部２１ｂに対応する位置に樹脂注入ゲート２２ａ及びエアーベント２２ｂが設けられた下金型２２とを用いて、このフィルム一体キーシート１１を製造した。
【００４５】
このようにフランジ部１６の裏面１６ａにエアーベント部Ｆを設けると、透光性樹脂キートップ１３を射出成形する際にキャビティＳ内に発生するガスを、エアーベント２２ｂから外部へ効率的に排出させることができる。そのため、キャビティＳ内に溶融した合成樹脂を均一に充填することができるようになり、外観品質に優れた高品位なフィルム一体キーシート１１を簡易に実現することができる。
【００４６】
（５）  透光性樹脂フィルム１２の裏面１２ａに文字表示部１５を設けた。ここで、本実施形態のフィルム一体キーシート１１においては、上記のようにフランジ部１６の裏面１６ａに樹脂注入ゲート部Ｇを設けたため、このように文字表示部１５を設けても、樹脂注入ゲート部Ｇが文字表示部１５の視認性を悪化させる要因とならない。従って、フィルム一体キーシート１１の押圧部１４の表面側から文字表示部１５が明瞭に視認されることとなり、視認性を向上させた美観に優れるフィルム一体キーシート１１を実現することができる。そして、このように文字表示部１５を設ける構成とすることにより、さらに多種多様のデザインを具現化することができ、美観に優れるデザイン性の高いフィルム一体キーシート１１を実現することができる。
【００４７】
（６）  透光性樹脂キートップ１３の裏面１３ａに装飾層１７を設けた。ここで、本実施形態のフィルム一体キーシート１１においては、上記のようにフランジ部１６の裏面１６ａに樹脂注入ゲート部Ｇを設けたため、このように装飾層１７を設けても、樹脂注入ゲート部Ｇが装飾層１７の視認性を悪化させる要因とならない。従って、フィルム一体キーシート１１の押圧部１４の表面側から装飾層１７が明瞭に視認されることとなり、視認性を向上させた美観に優れるフィルム一体キーシート１１を実現することができる。そして、このように装飾層１７を設ける構成とすることにより、さらに多種多様のデザインを具現化することができ、美観に優れるデザイン性の高いフィルム一体キーシート１１を実現することができる。
【００４８】
（７）  透光性樹脂フィルム１２の裏面１２ａに文字表示部１５を設けるとともに、透光性樹脂キートップ１３の裏面１３ａに装飾層１７を設けた。このように構成すると、文字表示部１５の周囲において装飾層１７が視認されるとともに、文字表示部１５の文字等の影が装飾層１７に映し出されて、文字表示部１５が立体的に浮き出た外観として視認されるようになる。そのため、この種のフィルム一体キーシート１１において、従来存在しなかった新たなデザインを具現化することができ、美観に優れるデザイン性の高いフィルム一体キーシート１１を実現することができる。従って、フィルム一体キーシート１１のデザインバリエーションを拡大することができる。
【００４９】
（８）  透光性樹脂キートップ１３の裏面１３ａに、金属光沢を有する装飾層１７を設けた。このように構成すると、金属光沢調を呈するデザインを実現でき、高光沢で美観に優れデザイン性の高いフィルム一体キーシート１１を実現することができる。
【００５０】
（第二実施形態）
以下、本発明を具体化した第二の実施の形態を図６及び図７に基づいて説明する。なお、以降の説明にとおいては、上記第一実施形態と重複する構成についての説明を省略し、本実施形態に固有の構成のみを説明する。
【００５１】
図６及び図７に示すように、本実施形態のフィルム一体キーシート１１においては、略円筒状の透光性樹脂キートップ１３の外周側面下端に、半径方向外方へ突出する凸部として略半円筒状の凸状片１８，１９がそれぞれ設けられた構成となっている。この凸状片１８及び凸状片１９は、透光性樹脂キートップ１３を挟んで１８０度対向する位置にそれぞれ設けられている。そして、透光性樹脂キートップ１３の裏面１３ａ及び凸状片１８，１９の裏面１８ａ，１９ａは、段差のない平滑な面に形成されている。
【００５２】
前記凸状片１８の裏面１８ａには、透光性樹脂キートップ１３の樹脂注入ゲート部Ｇが設けられている。また、前記凸状片１９の裏面１９ａには、エアーベント部Ｆが設けられている。従って、本実施形態においても、樹脂注入ゲート部Ｇとエアーベント部Ｆとは、透光性樹脂キートップ１３を挟んでそれぞれ１８０度対向する位置にそれぞれ設けられている。
【００５３】
従って、この第二実施形態のフィルム一体キーシート１１においても、上記第一実施形態のフィルム一体キーシート１１と同様に、上記（１），（３）〜（８）に示す作用効果が奏される。
【００５４】
（変形例）
尚、本発明は、前記実施形態の構成に限定されるものではなく、この発明の趣旨から逸脱しない範囲で、各部の構成を任意に変更して具体化してもよい。
【００５５】
・  前記エアーベント２２ｂの形状或いはその設置箇所を適宜変更すること。例えば、図８に示すように、エアーベント２２ｂを設けること。このように構成しても、上記各実施形態と同様の作用効果が奏される。
【００５６】
・  透光性樹脂キートップ１３或いはフランジ部１６の形状（透光性樹脂キートップ１３を成形するための成形凹部２１ａの形状，フランジ部１６を成形するための成形凹部２１ｂの形状）を適宜変更すること。このように構成しても、上記各実施形態と同様の作用効果が奏される。
【００５７】
・  透光性樹脂キートップ１３の裏面１３ａ側に、ＬＥＤ（発光ダイオード）やＥＬ（エレクトロルミネセンス）などの照光器を付設すること。このように構成すると、フィルム一体キーシート１１に簡易に照光機能を付与することができ、夜間や暗い場所でのフィルム一体キーシート１１の視認性を向上させることができる。
【００５８】
【実施例】
以下、実施例を挙げて上記各実施形態をさらに具体的に説明するが、これらは本発明の範囲を何ら制限するものではない。
【００５９】
（実施例１）
まず、ポリエチレンテレフタレート樹脂からなる透光性樹脂フィルム１２の裏面１２ａに、黒色塗料を印刷して数字を描画して文字表示部１５を形成した後、この透光性樹脂フィルム１２を治具にて透光性樹脂キートップ１３の上面側形状と略同形状となるように湾曲状に絞り加工をした。
【００６０】
次いで、この絞り加工を施した透光性樹脂フィルム１２を、図４及び図５に示す上金型２１及び下金型２２の間に挟持した後、下金型２２の樹脂注入ゲート２２ａからキャビティＳ内にポリカーボネート樹脂を射出して、図３に示す透光性樹脂キートップ１３及びフランジ部１６を一体成形すると同時に、透光性樹脂フィルム１２と透光性樹脂キートップ１３とを熱融着させて、フィルム一体キーシートを作製した。さらに、透光性樹脂キートップ１３の裏面１３ａに、白色塗料を印刷して装飾層１７を形成し、図１及び図２に示すフィルム一体キーシート１１を製造した。得られたフィルム一体キーシート１１は、透光性樹脂キートップ１３の裏面１３ａが段差のない平滑な面となり、透光性樹脂キートップ１３の外観品質が良好なものであった。
【００６１】
本実施例１のフィルム一体キーシート１１は、押圧部１４において、黒色の文字表示部１５の周囲に白色の装飾層１７が視認されるものであった。そして、黒色の文字表示部１５の影が白色の装飾層１７に映し出されて、黒色の文字表示部１５が立体的に浮き上がって視認されるものであった。
【００６２】
（実施例２）
まず、ポリカーボネート樹脂とポリブチレンテレフタレート樹脂のポリマーアロイ材からなる透光性樹脂フィルム１２の裏面１２ａに、赤色塗料を印刷して電話機の形状を描画して文字表示部１５を形成した後、この透光性樹脂フィルム１２を治具にて透光性樹脂キートップ１３の上面側形状と略同形状に湾曲状となるように絞り加工をした。
【００６３】
次いで、この絞り加工を施した透光性樹脂フィルム１２を、図８に示す上金型２１及び下金型２２の間に挟持した後、上記実施例１と同様に、下金型２２の樹脂注入ゲート２２ａからキャビティＳ内にポリカーボネート樹脂を射出して、図７に示す透光性樹脂キートップ１３及び凸状片１８，１９を一体成形すると同時に、透光性樹脂フィルム１２と透光性樹脂キートップ１３とを熱融着させて、フィルム一体キーシートを作製した。さらに、透光性樹脂キートップ１３の裏面１３ａに、透光性のアルミニウム箔をホットスタンプ法によって転写して装飾層１７を形成し、図６に示すフィルム一体キーシート１１を製造した。得られたフィルム一体キーシート１１は、透光性樹脂キートップ１３の裏面１３ａが段差のない平滑な面となり、透光性樹脂キートップ１３の外観品質が良好なものであった。
【００６４】
本実施例２のフィルム一体キーシート１１は、押圧部１４において、赤色の文字表示部１５の周囲に銀白色の金属光沢を呈する装飾層１７が視認されるものであった。そして、赤色の文字表示部１５の影が銀白色の金属光沢を呈する装飾層１７に映し出されて、赤色の文字表示部１５が立体的に浮き上がって視認されるものであった。
【００６５】
【発明の効果】
以上詳述したように、請求項１に記載の発明によれば、透光性樹脂キートップの外周側面下端に外方へ突出する凸部を設け、この凸部の裏面に、前記透光性樹脂キートップの樹脂注入ゲート部が設けたため、小型軽量且つ薄型で、視認性に優れた高品位なデザインを具備した製造容易なフィルム一体キーシートを実現することができる。
【図面の簡単な説明】
【図１】  第一実施形態のフィルム一体キーシートを示す概略斜視図。
【図２】  図１のＡ−Ａ断面図。
【図３】  第一実施形態のフィルム一体キーシートの透光性樹脂キートップを示す概略斜視図。
【図４】  第一実施形態のフィルム一体キーシートの製造方法を示す断面図。
【図５】  第一実施形態のフィルム一体キーシートの製造方法を示す断面図。
【図６】  第二実施形態のフィルム一体キーシートを示す概略斜視図。
【図７】  第二実施形態のフィルム一体キーシートの透光性樹脂キートップを示す概略斜視図。
【図８】  変形例のフィルム一体キーシートの製造方法を示す断面図。
【図９】  従来のフィルム一体キーシートを示す断面図。
【図１０】  従来のフィルム一体キーシートを示す断面図。
【符号の説明】
Ｆ…エアーベント部、Ｇ…樹脂注入ゲート部、１１…フィルム一体キーシート、１２…透光性樹脂フィルム、１２ａ…裏面、１３…透光性樹脂キートップ、１３ａ…裏面、１５…文字表示部、１６…凸部としてのフランジ部、１６ａ…裏面、１７…装飾層、１８，１９…凸部としての凸状片、１８ａ，１９ａ…裏面。
【図１】
0003961271.tif 000002
【図２】
0003961271.tif 000003
【図３】
0003961271.tif 000004
【図４】
0003961271.tif 000005
【図５】
0003961271.tif 000006
【図６】
0003961271.tif 000007
【図７】
0003961271.tif 000008
【図８】
0003961271.tif 000009
【図９】
0003961271.tif 000010
【図１０】
0003961271.tif 000011